(57)【要約】  【課題】  施工効率の向上及び施工コストの低減が可能な構造を採用しつつ、その構造の採用に伴い派生する天井裏作業時に負傷するなどの不測事態の発生を容易かつ安価に回避できる天井パネルの固定支持構造を提供する。【解決手段】  天井位置より上部から垂下された吊りボルト１の下端部に固定連結された吊り金物３の両側扁平板部３ｂ，３ｂを天井位置に配設される天井パネル４，４の上面に当接させた状態で、各天井パネル４，４を下方から貫通させたドリルねじ５，５の先端部分５ａ，５ａを扁平板部３ｂ，３ｂにねじ込むことにより天井パネル４，４を吊り金物３に固定支持させるとともに、吊り金物３の扁平板部３ｂ，３ｂから上方へ突出するドリルねじ先端部分５ａ，５ａの側方部及び上方部を覆い隠す形態で、かつ踏付け外力に対しても変形しない耐力強度を有するカバー部材１０，１０を取付けている。  【選択図】      図１
2009068298.tif 000002
【特許請求の範囲】
【請求項１】
天井位置より上部の構造体から垂下される吊り部材と、この吊り部材の下端部に固定連結可能な上方への突出板部及び建造物の天井位置に隣接配設される二つの天井パネルの各上面に当接可能な扁平板部を有する吊り金物と、ドリルねじとを備え、このドリルねじを前記各天井パネルの下面側から上方へ貫通させてそのねじ先端部分を前記吊り金物の扁平板部にねじ込むことにより隣接する二つの天井パネルを吊り金物に固定支持させる天井パネルの固定支持構造であって、
前記吊り金物の扁平板部から上方へ突出するドリルねじの先端部分の側方及び上方を覆い隠す形態を有し、かつ、踏付け外力に対して変形しない耐力強度を有するカバー部材が取付けられていることを特徴とする天井パネルの固定支持構造。
【請求項２】
前記カバー部材が、前記吊り金物とは別体の断面コ字形に形成され、その下面板部には前記ドリルねじの上方への突出先端部分に落とし込み可能な孔が設けられている請求項１に記載の天井パネルの固定支持構造。
【請求項３】
前記隣接配設された天井パネルの端部間には、発泡ウレタンの吹付け充填により目地断熱層が形成されている請求項１または２に記載の天井パネルの固定支持構造。  
【発明の詳細な説明】
【技術分野】
【０００１】
本発明は、断熱サンドイッチパネル等の天井パネルを、例えば支柱間に架設される構造梁など天井位置より上部の構造体に吊下げて固定支持させる天井パネルの固定支持構造に関する。
【背景技術】
【０００２】
天井パネルの固定支持構造として、従来、天井位置より上部の例えば構造梁から垂下された吊りボルト（吊り部材）と、天井位置に隣接配設された二つの天井パネルの端部間を通って下方へ延びる長尺板状の本体とこの長尺板状本体の下端部から左右に突設される受け板と前記長尺板状本体の上方側部に受け板に対向して形成されて長手方向に延びるレール部とを有し、かつ、そのレール部に隣接天井パネルの各上面に当接可能なパネル固定金具が長手方向に摺動可能に嵌め込み保持されてなる吊り金物とを備え、前記吊りボルトの下端部に連結した吊り金物の受け板に隣接する二つの天井パネルの下端縁部を載置支持するとともに、各天井パネルの上面に当接させたパネル固定金具から天井パネルに木ねじなどをねじ込むことにより天井パネルをパネル固定金具に固定するといったように、天井パネルを上下二段で固定支持する構成のものが知られている（例えば、特許文献１参照）。
【０００３】
【特許文献１】特開２００１−２００６１０号公報
【０００４】
上記のような従来の天井パネルの固定支持構造は、天井パネルを上下二段で確実かつ強固に固定支持することが可能である反面、多くの部品点数を必要とし、それだけ現場施工手数も増大するのみならず、吊り金具として非常に複雑な形態の高価なものを使用しなければならないので、全体として施工コストが著しく高くつくという問題がある。
【０００５】
このような従来の天井パネルの固定支持構造が有する問題を解消せんがために、本出願人らは、次に説明するような天井パネルの固定支持構造を開発し現に採用している。この本出願人らが現に採用している天井パネルの固定支持構造は、図４に示すように、例えば支柱間に架設される構造梁など天井位置より上部の構造体（図示省略する）から垂下される吊りボルト（吊り部材の一例）１と、この吊りボルト１の下端部に六角ナット２を介して固定連結可能な上方への突出板部３ａ及び建造物の天井位置に隣接配設される二つの天井パネル４，４の各上面に当接可能な左右両側の扁平板部３ｂ，３ｂを有する断面略ハット形のレール状吊り金物３と、ドリルねじ５，５とを備え、これらドリルねじ５，５を前記各天井パネル４，４の下面側から上方へ貫通させてそのねじ先端部分５ａ，５ａを前記吊り金物３の扁平板部３ｂ，３ｂにねじ込むことにより隣接する二つの天井パネル４，４を吊り金物３に固定支持させる構造である。なお、図４中の６は、隣接天井パネル４，４の端部間に吹付け充填された発泡ウレタンによる目地断熱層、７は吊り金物３の内部空間に嵌合保持させたウレタン製の断熱ブロックであり、また、８は化粧カバーである。
【発明の開示】
【発明が解決しようとする課題】
【０００６】
図４に示すような天井パネルの固定支持構造は、吊りボルト１と吊り金物３とドリルねじ５，５を用いるだけでよく、特許文献１に示す従来の天井パネルの固定支持構造に比べて、部品点数が少なく、また、吊り金具３としても形状の簡単な低コストなものを使用すればよいので、全体として施工効率の向上及び施工コストの低減が可能である。
【０００７】
しかしながら、図４に示す天井パネルの固定支持構造の場合は、天井パネル４，４をその下面側から上方に貫通させて吊り金物３の扁平板部３ｂ，３ｂにねじ込まれるドリルねじ５，５のみで固定させるものであるために、ドリルねじ５，５としては長いものを用いる必要がある。その結果、ドリルねじ５，５の先端先鋭部分５ａ，５ａが吊り金物３の扁平板部３ｂ，３ｂから上方、すなわち、天井裏空間に大きく突出してしまい、配線工事など天井裏で各種作業を行う際、作業者がドリルねじ５，５の先端先鋭部分５ａ，５ａを踏み付けたり、接触したりして負傷するおそれがある。
【０００８】
それを回避するために、天井パネル４，４の固定支持作業後に、図４中にも明示したように、前記ドリルねじ５，５の先端先鋭部分５ａ，５ａが隠れてしまう深さ及び範囲にわたって硬質ウレタン層９を施工現場での吹付けにより形成する手段を講じていたが、これによると、防熱的に不要な場合でも硬質ウレタン層９を形成することで材料面でのロスが生じるだけでなく、天井裏という狭隘な空間での吹付け作業が必要で施工しづらく、したがって、図４に示すような構造を採用することで奏されるところの施工効率及び施工コストの低減効果にも自ずと限界があるといった問題が残されていた。
【０００９】
本発明は上記の実情に鑑みてなされたもので、施工効率の向上及び施工コストの低減が可能な構造を採用しつつ、そのような構造の採用に伴って派生する天井裏での各種作業時に負傷するなどの不測事態の発生を容易かつ安価に回避することができる天井パネルの固定支持構造を提供することを目的としている。
【課題を解決するための手段】
【００１０】
上記目的を達成するために、本発明に係る天井パネルの固定支持構造は、天井位置より上部の構造体から垂下される吊り部材と、この吊り部材の下端部に固定連結可能な上方への突出板部及び建造物の天井位置に隣接配設される二つの天井パネルの各上面に当接可能な扁平板部を有する吊り金物と、ドリルねじとを備え、このドリルねじを前記各天井パネルの下面側から上方へ貫通させてそのねじ先端部分を前記吊り金物の扁平板部にねじ込むことにより隣接する二つの天井パネルを吊り金物に固定支持させる天井パネルの固定支持構造であって、前記吊り金物の扁平板部から上方へ突出するドリルねじの先端部分の側方及び上方を覆い隠す形態を有し、かつ、踏付け外力に対して変形しない耐力強度を有するカバー部材が取付けられていることを特徴としている。
【発明の効果】
【００１１】
上記のような特徴構成を有する本発明によれば、吊り部材と吊り金物とドリルねじを用いるだけでよく、特許文献１に示す従来の天井パネルの固定支持構造に比べて、部品点数を削減できるとともに、吊り金具としても形状の簡単な低コストなものを使用すればよく、全体として施工効率の向上及び施工コストの低減が図れる。しかも、天井パネルをその下面側から上方へ貫通させ、かつ、吊り金物の扁平板部にねじ込まれて上方へ突出するドリルねじ先端部分の側方部及び上方部が踏み付けても変形しないだけの耐力強度を有するカバー部材により覆い隠されるので、天井パネルの固定支持施工後に配線工事など天井裏での各種作業を行う際、作業者が先鋭なドリルねじ先端部分を踏み付けたり、接触したりして負傷するといった不測の事態を確実に回避することができる。加えて、天井裏という狭隘な空間に硬質ウレタンを吹付けるなどの手間のかかる作業が不要で、予め準備しているカバー部材を取付けるだけでよいので、上述のような不測事態の発生回避のための施工も非常に容易かつ低コストに実施することができるという効果を奏する。
【００１２】
本発明に係る天井パネルの固定支持構造において、前記カバー部材としては、吊り金物の扁平板部に連ねて断面コ字形のカバー部分を一体に形成したものであってもよいが、請求項２に示すように、前記吊り金物とは別体の断面コ字形に形成され、その下面板部に前記ドリルねじの上方への突出先端部分に落とし込み可能な孔が設けられているカバー部材を用いることが望ましい。
【００１３】
この場合は、吊り金物自体をシンプルで、かつ、取り扱いやすい形状にして製作コストの低減を図りつつ、ドリルねじの突出先端部分に孔を合わせて落とし込む簡単な作業を行うだけで所定のカバー機能を確実に発揮させることができる。
【００１４】
また、本発明に係る天井パネルの固定支持構造において、請求項３に記載のように、隣接配設された天井パネルの端部間に、発泡ウレタンの吹付け充填により目地断熱層を形成することにより、目地部を含めて全域が断熱性に優れた天井面を簡単に施工することができる。
【発明を実施するための最良の形態】
【００１５】
以下、本発明の実施の形態を図面にもとづいて説明する。
図１は本発明に係る天井パネルの固定支持構造を示す要部の拡大縦断正面図であり、同図において、符号１を付した吊りボルト（吊り部材の一例）、符号２を付した六角ナット、符号３を付し、上方への突出板部３ａ及び扁平板部３ｂ，３ｂを有する略ハット形のレール状吊り金物、符号４，４を付した天井パネル、符号５，５を付したドリルねじ、符号６を付した目地断熱層、符号７を付した断熱ブロック及び符号８を付した化粧カバーは、本出願人らが開発し現に採用している図４で示した構造で説明したものと同一のものが用いられており、それら以外の構成部材について以下に説明する。
【００１６】
１０，１０はカバー部材で、前記吊り金物３とは別体で前記天井パネル４，４を吊り金物３の両側扁平板部３ｂ，３ｂに固定支持するために用いられるドリルねじ５，５と同数個のものが準備されている。そして、これらカバー部材１０，１０は、図２に明示するように、断面コ字形に形成されているとともに、その下面板部１０ａ，１０ａには前記ドリルねじ５，５の先端先鋭部分５ａ，５ａに落とし込み可能な孔１１，１１が設けられており、これら孔１１，１１をドリルねじ５，５の先端先鋭部分５ａ，５ａに差し入れて下面板部１０ａ，１０ａが吊り金物３の扁平板部３ｂ，３ｂの上面に重なるように落とし込むことによって、前記吊り金物３の扁平板部３ｂ，３ｂから上方へ突出するドリルねじ５，５の先端先鋭部分５ａ，５ａの側方部及び上方部を覆い隠すように取付けられている。
【００１７】
また、前記カバー部材１０，１０は、前記取付け状態において、例えば配線工事など天井裏空間で各種作業を行う際に作業者が踏付けるなどして外力が加わったとしても、その踏付け外力に対して変形しないだけの耐力強度を発揮するような肉厚を持つ鋼板の曲げ加工によって製作されている。
【００１８】
上記のような天井パネルの固定支持構造では、吊りボルト１と吊り金物３とドリルねじ５，５を用いて天井パネル４，４を所定どおりに固定支持することが可能で、特許文献１に示す従来の天井パネルの固定支持構造に比べて、部品点数の削減が図れるとともに、吊り金物３としても形状簡単で低コストなものを使用すればよいので、全体として施工効率の向上及び施工コストの低減が図れる。また、施工状態において吊り金物３の扁平板部３ｂ，３ｂにねじ込まれて上方へ突出するドリルねじ５，５の先端先鋭部分５ａ，５ａの側方部及び上方部は踏み付けても変形しないだけの耐力強度を有するカバー部材１０，１０により覆い隠されるので、施工後に配線工事など天井裏での各種作業を行う際、作業者がドリルねじ５，５の先端先鋭部分５ａ，５ａを踏み付けたり、接触したりして負傷するといった不測事態の発生を確実に回避することができる。
【００１９】
さらに、不測事態の発生回避のために、天井裏という狭隘な空間に硬質ウレタンを吹付けるなどの手間のかかる作業が不要で、予め準備しているカバー部材１０，１０をその下面板部１０ａ，１０ａに設けた孔１１，１１を介してドリルねじ５，５の先端先鋭部分５ａ，５ａに落とし込んで取付けるだけでよいので、上述のような不測事態の発生回避のための施工も非常に容易かつ低コストに実施することができる。
【００２０】
なお、上記実施の形態では、前記カバー部材１０，１０として、吊り金物３とは別体でドリルねじ５，５に対して落とし込み取付け可能な断面コ字形のピース片に形成したもので説明したが、これに代えて、図３に示すように、吊り金物３の両側扁平板部３ｂ，３ｂに連ねて延在させた板部分１０ｂ、１０ｂを断面Ｌ形に曲げ加工し、それらＬ形曲げ板部分１０ｂ，１０ｂと前記吊り金物３の両側扁平板部３ｂ，３ｂとにより断面コ字形のカバー部材１０，１０を一体に形成したものであってもよい。この場合は、吊り金物３の形態が上記実施の形態のものより少し複雑になるものの、部品点数はより少なくなり、施工効率の一層の向上が図れる。
【図面の簡単な説明】
【００２１】
【図１】本発明に係る天井パネルの固定支持構造の実施の形態を示す要部の拡大縦断正面図である。
【図２】同構造の施工に用いるカバー部材の斜視図である。
【図３】本発明に係る天井パネルの固定支持構造の他の実施の形態を示す要部の拡大縦断正面図である。
【図４】本出願人らが開発し現に採用している天井パネルの固定支持構造を示す要部の拡大縦断正面図である。
【符号の説明】
【００２２】
１  吊りボルト（吊り部材の一例）
３  吊り金物
３ａ  突出板部
３ｂ  扁平板部
４  天井パネル
５  ドリルねじ
５ａ  先端先鋭部分
６  目地断熱層
１０  カバー部材
１０ａ  カバー部材の下面板部
１１  孔
【図１】
2009068298.tif 000003
【図２】
2009068298.tif 000004
【図３】
2009068298.tif 000005
【図４】
2009068298.tif 000006